(57)【特許請求の範囲】
【請求項１】
見出のキーワードと、当該見出のキーワードとは異なる他のキーワードを含む説明情報とを複数組対応づけてキーワード情報として記憶しているキーワード記憶手段と、
いずれかの見出のキーワードを含むテキストを表示させるテキスト表示制御手段と、
このテキスト表示制御手段により表示させたテキスト中の何れかの見出のキーワードを基幹キーワードとして登録する基幹キーワード登録手段と、
前記基幹キーワードを見出のキーワードとして前記キーワード情報から、当該見出のキーワードに対応づけられた説明情報に含まれるキーワードを説明キーワードとして抽出する説明キーワード抽出手段と、
前記テキスト表示制御手段により表示させたテキスト中で、前記説明キーワードと同じキーワードを枝キーワードとして識別して表示させる枝キーワード識別表示制御手段と、
を備えたことを特徴とする情報表示制御装置。
【請求項２】
前記テキストから前記キーワード情報の見出のキーワードと一致する文字列をキーワード候補として抽出し、当該抽出されたキーワードのうちから基本辞書の見出し語と一致するキーワードを除外したキーワードを候補キーワードとして決定する候補キーワード決定手段を有し、
前記テキスト表示制御手段は、前記決定された候補キーワードを識別表示させる候補キーワード識別表示制御手段を備える、
ことを特徴とする請求項１に記載の情報表示制御装置。
【請求項３】
前記キーワード記憶手段は、前記見出のキーワードに対応づけられた説明情報中に他の見出のキーワードへのリンク情報を記憶しており、
前記テキストから前記キーワード情報の見出のキーワードと一致する文字列をキーワードとして抽出し、当該抽出されたキーワードのうち、前記リンク情報の見出のキーワードと一致するキーワードを候補キーワードとして決定する候補キーワード決定手段を有し、
前記テキスト表示制御手段は、前記候補キーワード決定手段により決定された候補キーワードを識別表示させる候補キーワード識別表示制御手段を備える、
ことを特徴とする請求項１に記載の情報表示制御装置。
【請求項４】
前記テキスト表示手段により表示させたテキスト中の前記基幹キーワード又は前記識別表示された候補キーワードがユーザ操作に応じて指定された場合に、当該指定されたキーワードを見出のキーワードとする説明情報を前記キーワード情報から読み出して表示させる説明情報表示制御手段と、
この説明情報表示制御手段により表示された説明情報に含まれる説明キーワードを識別して表示させる説明キーワード識別表示制御手段と、
この説明キーワード識別表示制御手段により識別表示させた説明キーワードをユーザ操作に応じて登録する説明キーワード登録手段と、
前記テキスト表示手段により表示されたテキストと共に前記説明キーワード登録手段により登録された説明キーワードを追加識別して表示させる追加キーワード識別表示手段と、
を備えたことを特徴とする請求項１ないし請求項３の何れか１項に記載の情報表示制御装置。
【請求項５】
前記基幹キーワード登録手段により登録された基幹キーワードと前記枝キーワード識別表示制御手段により識別して表示された枝キーワードとの相関を示す相関図を生成して表示させる相関図表示制御手段を備えたことを特徴とする請求項１ないし請求項４の何れか１項に記載の情報表示制御装置。
【請求項６】
前記相関図表示制御手段は、前記基幹キーワード登録手段により登録された基幹キーワードと前記枝キーワード識別表示制御手段により識別して表示された枝キーワードと前記追加キーワード識別表示手段により追加識別して表示させたキーワードとの相関を示す相関図を生成して表示させる、
ことを特徴とする請求項５に記載の情報表示制御装置。
【請求項７】
前記相関図表示制御手段により表示された相関図に含まれるキーワードがユーザ操作に応じて指定された場合に、当該指定されたキーワードを見出のキーワードとする説明情報を前記キーワード情報から読み出して表示させる相関図対応説明情報表示制御手段と、
この相関図対応説明情報表示制御手段により前記相関図から指定されたキーワードを見出し語とする説明情報を表示させる毎に、前記テキスト中のキーワードのうち、当該説明情報に含まれる説明キーワードと同じ新たなキーワードを追加登録するキーワード追加登録手段とを備え、
前記相関図表示制御手段は、前記基幹キーワード登録手段により登録された基幹キーワードと前記キーワード識別表示制御手段により識別して表示されたキーワードと前記キーワード追加登録手段により追加登録されたキーワードとの相関を示す相関図を生成して表示させる、
ことを特徴とする請求項５に記載の情報表示制御装置。
【請求項８】
前記相関図表示制御手段により表示させた相関図に含まれるキーワードをユーザ操作に応じて削除する相関図キーワード削除手段を備えた、
ことを特徴とする請求項５ないし請求項７の何れか１項に記載の情報表示制御装置。
【請求項９】
電子機器のコンピュータを制御するためのプログラムであって、
前記コンピュータを、
見出のキーワードと、当該見出のキーワードとは異なる他のキーワードを含む説明情報とを複数組対応づけてキーワード情報として記憶するキーワード記憶手段、
いずれかの見出のキーワードを含むテキストを表示させるテキスト表示制御手段、
このテキスト表示制御手段により表示させたテキスト中の何れかの見出のキーワードを基幹キーワードとして登録する基幹キーワード登録手段、
前記基幹キーワードを見出のキーワードとして前記キーワード情報から、当該見出のキーワードに対応づけられた説明情報に含まれるキーワードを説明キーワードとして抽出する説明キーワード抽出手段、
前記テキスト表示制御手段により表示させたテキスト中で、前記説明キーワードと同じキーワードを枝キーワードとして識別して表示させる枝キーワード識別表示制御手段、
として機能させるためのコンピュータ読み込み可能なプログラム。
【請求項１０】
通信ネットワークを介して接続され、表示部と入力部を備えた情報表示制御装置であって、
見出のキーワードと、当該見出のキーワードとは異なる他のキーワードを含む説明情報とを複数組対応づけたキーワード情報を前記通信ネットワークを介して取得するキーワード情報取得手段と、
いずれかの見出のキーワードを含むテキストを前記表示部に出力して表示させるように制御するテキスト表示制御手段と、
このテキスト表示制御手段により前記表示部に表示されたテキスト中の何れかの見出のキーワードを前記入力部を操作して基幹キーワードとして登録する基幹キーワード登録手段と、
前記基幹キーワードを見出のキーワードとして前記キーワード情報から、当該見出のキーワードに対応づけられた説明情報に含まれるキーワードを説明キーワードとして抽出する説明キーワード抽出手段と、
前記テキスト表示制御手段により前記表示部に表示させたテキスト中で、前記説明キーワードと同じキーワードを枝キーワードとして識別して表示させるように制御する枝キーワード識別表示制御手段と、
を備えたことを特徴とする情報表示制御装置。
【請求項１１】
表示部を備えた電子機器のコンピュータを制御するためのプログラムであって、
前記コンピュータを、
見出のキーワードと、当該見出のキーワードとは異なる他のキーワードを含む説明情報とを複数組対応づけたキーワード情報を取得するキーワード情報取得手段、
いずれかの見出のキーワードを含むテキストを前記表示部に表示させるように制御するテキスト表示制御手段、
このテキスト表示制御手段により表示させたテキスト中の何れかの見出のキーワードを基幹キーワードとして登録する基幹キーワード登録手段、
前記基幹キーワードを見出のキーワードとして前記キーワード情報から、当該見出のキーワードに対応づけられた説明情報に含まれるキーワードを説明キーワードとして抽出する説明キーワード抽出手段、
前記テキスト表示制御手段により前記表示部に表示させたテキスト中で、前記説明キーワードと同じキーワードを枝キーワードとして識別して表示させるように制御する枝キーワード識別表示制御手段、
として機能させるためのコンピュータ読み込み可能なプログラム。
【発明の詳細な説明】
【技術分野】
【０００１】
本発明は、テキストに関連するキーワードを表示させる情報表示制御装置およびその制御プログラムに関する。
【背景技術】
【０００２】
従来から、多数の情報からキーワードを抽出して情報分析することが行われている。
【０００３】
インターネットのホームページから最新トレンドを解析して表示するシステムであって、複数のニュースサイトからその時々で話題となっているニュースのデータを自動的に収集し、収集したデータから取り出した単語から、どのニュースが最も話題になっているかをリアルタイムに解析する。そして、この解析結果から重要語の分布状況や、重要語と関連語の相関図を表示することが考えられている（例えば、特許文献１参照。）。
【先行技術文献】
【特許文献】
【０００４】
【特許文献１】特開２００２−１０８９３７号公報
【発明の概要】
【発明が解決しようとする課題】
【０００５】
前記従来のインターネット最新トレンド解析及び表示システムは、話題になっているニュースのデータから取り出した単語のうち、重要語とその関連語の相関図を生成して表示するものであり、キーワードの相関図を生成できるものである。
【０００６】
しかし前記従来技術では、最新トレンドについてのキーワードの相関図を生成するにすぎず、表示されたテキスト（例えば学習対象の表示テキスト）についてのキーワードを表示させるものではない。例えばユーザが学習対象とする表示テキストを表示させた場合などにおいて、表示テキストに関するキーワードを効果的に学習できるようにすることが望まれる。
【０００７】
本発明は、このような課題に鑑みなされたもので、表示テキストに関連するキーワードを効果的に関係づけて表示させることが可能になる情報表示制御装置およびその制御プログラムを提供することを目的とする。
【課題を解決するための手段】
【０００８】
本発明に係る情報表示制御装置は、見出のキーワードと、当該見出のキーワードとは異なる他のキーワードを含む説明情報とを複数組対応づけてキーワード情報として記憶しているキーワード記憶手段と、いずれかの見出のキーワードを含むテキストを表示させるテキスト表示制御手段と、このテキスト表示制御手段により表示させたテキスト中の何れかの見出のキーワードを基幹キーワードとして登録する基幹キーワード登録手段と、前記基幹キーワードを見出のキーワードとして前記キーワード情報から、当該見出のキーワードに対応づけられた説明情報に含まれるキーワードを説明キーワードとして抽出する説明キーワード抽出手段と、前記テキスト表示制御手段により表示させたテキスト中で、前記説明キーワードと同じキーワードを枝キーワードとして識別して表示させる枝キーワード識別表示制御手段と、を備えたことを特徴としている。
【発明の効果】
【０００９】
本発明によれば、表示テキストに関連するキーワードを効果的に関係づけて表示させることが可能になる。
【図面の簡単な説明】
【００１０】
【図１】本発明の実施形態に係る情報表示制御装置１０の電子回路の構成を示すブロック図。
【図２】前記情報表示制御装置１０を電子辞書装置１０Ｄにより実施した場合の外観構成を示す正面図。
【図３】前記情報表示制御装置１０をタブレット端末１０Ｔにより実施した場合の外観構成を示す正面図。
【図４】前記情報表示制御装置１０の表示制御処理プログラム１２ａによるリンクキーワード表示処理（その１）を示すフローチャート。
【図５】前記情報表示制御装置１０の表示制御処理プログラム１２ａによるリンクキーワード表示処理（その２）を示すフローチャート。
【図６Ａ】前記情報表示制御装置１０のリンクキーワード表示処理に伴う第１のキーワード抽出処理Ａを示すフローチャート。
【図６Ｂ】前記情報表示制御装置１０のリンクキーワード表示処理に伴う第２のキーワード抽出処理Ｂを示すフローチャート。
【図７】前記情報表示制御装置１０のリンクキーワード表示処理に従った表示動作（その１）を示す図。
【図８】前記情報表示制御装置１０のリンクキーワード表示処理に従った表示動作（その２）を示す図。
【図９】前記情報表示制御装置１０のリンクキーワード表示処理に従った表示動作（その３）を示す図。
【発明を実施するための形態】
【００１１】
以下図面により本発明の実施の形態について説明する。
【００１２】
図１は、本発明の実施形態に係る情報表示制御装置１０の電子回路の構成を示すブロック図である。
【００１３】
この情報表示制御装置１０は、各種の記録媒体に記録されたプログラム、又は、伝送されたプログラムを読み込んで、その読み込んだプログラムによって動作が制御されるコンピュータによって構成され、その電子回路には、ＣＰＵ１１が備えられる。
【００１４】
このＣＰＵ１１は、メモリ１２内に予め記憶された装置制御プログラム、あるいはＲＯＭカードなどの外部記録媒体１３から記録媒体読取部１４を介して前記メモリ１２に読み込まれた装置制御プログラム、あるいはインターネットＮ上のＷｅｂサーバ（この場合はプログラムサーバ）２０から通信部１５によりダウンロードされて前記メモリ１２に読み込まれた装置制御プログラムに応じて、回路各部の動作を制御する。
【００１５】
前記メモリ１２に記憶された装置制御プログラムは、キー入力部１６からのユーザ操作に応じた入力信号、タッチパネル式カラー表示部であるメイン画面１７やサブ画面１８からのユーザ操作に応じた入力信号、あるいは外部接続されるインターネットＮ上のＷｅｂサーバ２０との通信信号、あるいは記録媒体読取部１４を介して外部接続されるＥＥＰＲＯＭ，ＲＡＭ，ＲＯＭなどのメモリ・カード（記録媒体）１３との接続通信信号に応じて起動される。
【００１６】
前記ＣＰＵ１１には、前記メモリ１２、記録媒体読取部１４、キー入力部１６、メイン画面１７、サブ画面１８などが接続される。
【００１７】
前記メモリ１２に記憶される装置制御プログラムとしては、当該装置１０の全体の動作を司るシステムプログラム、外部接続されるインターネットＮ上の各Ｗｅｂサーバ２０…、ユーザＰＣ(Personal Computer)などとデータ通信するための通信プログラムが記憶される。
【００１８】
また、前記メモリ１２に記憶される各種テキストデータや辞書データの表示だけでなく、検索語（検索文字列）の入力に応じて見出し語を検索する見出検索処理、検索された見出し語に対応した説明情報を読み出して表示する説明情報表示処理、表示中のテキストデータにてユーザが指定した文字列（文字）を基幹キーワードとし、キーワード検知辞典（見出のキーワードと他のキーワードを含む当該見出の説明情報とを対応付けた辞書データ）から前記基幹キーワードと一致する見出のキーワードの説明情報に含まれるキーワード（説明中キーワード）を抽出し、前記表示中のテキストデータにおいて前記抽出したキーワードと同じ文字列をリンクキーワードとして識別表示させるリンクキーワード表示処理など、同メモリ１２内に記憶された辞書データベース（１２ｂ，１２ｃ，１２ｄ）に基づく処理全般を制御するための表示制御処理プログラム１２ａが記憶される。
【００１９】
前記辞書データベースには、前記キーワード検知辞典として［百科事典］１２ｂ、［歴史小辞典］１２ｃ等の辞書データが予めあるいはダウンロードされて記憶される他に、［初級国語辞典］１２ｄが記憶される。
【００２０】
前記キーワード検知辞典としての各辞書データ［百科事典］１２ｂ，［歴史小辞典］１２ｃには、前述したように、キーワードである見出し語とキーワードを含む当該見出し語の説明情報とが対応付けられて記憶される。
【００２１】
前記［初級国語辞典］１２ｄは、例えば小学校で学習する範囲の日本語の見出し語とその説明情報とを対応付けて集録した基本の国語辞書データ（基本辞書）である。
【００２２】
また、前記メモリ１２のワークエリアには、教材テキストデータエリア１２ｅ、リンクデータエリア１２ｆ等が確保される。
【００２３】
前記教材テキストデータエリア１２ｅには、中学生で学習する日本史をまとめた［日本史まとめ］のテキストデータ等、学生の教材となる各種のテキストデータが予めあるいはダウンロードされて記憶される。
【００２４】
前記リンクデータエリア１２ｆには、前記リンクキーワード表示処理に従い、前記テキストデータの中でユーザ操作により指定された基幹キーワードに対応付けて、当該基幹キーワードを見出のキーワードとする前記キーワード検知辞典の説明情報に含まれるキーワード（説明中キーワード）と同じ前記テキストデータの中の文字列がリンク先キーワードとして登録される。また、前記キーワード検知辞典の各見出のキーワードに対応する説明情報において、前記基幹キーワードをキーワード（説明中キーワード）として含む説明情報の見出のキーワードがリンク元キーワードとして登録される。
【００２５】
図２は、前記情報表示制御装置１０を電子辞書装置１０Ｄにより実施した場合の外観構成を示す正面図である。
【００２６】
この図２における電子辞書装置１０Ｄの場合、開閉される装置本体の下段側に前記ＣＰＵ１１、メモリ１２、記録媒体読取部１４が内蔵されると共に、前記キー入力部１６、サブ画面１８が設けられ、上段側に前記メイン画面１７が設けられる。前記キー入力部１６には、文字入力キー１６ａ、各種の辞書指定キー１６ｂ、[訳／決定]キー１６ｃ、[戻る]キー１６ｄ、［ジャンプ］キー１６ｅ等が備えられる。
【００２７】
この図２における電子辞書装置１０Ｄのメイン画面１７は、前記リンクキーワード表示処理に伴うリンクキーワードテキスト画面ＧＴＬの表示状態を示している。このリンクキーワードテキスト画面ＧＴＬでは、ユーザにより指定された学習テキスト［中学  日本史まとめ］に対して、先ず、前記キーワード検知辞典（［百科事典］１２ｂ又は［歴史小辞典］１２ｃ）の見出のキーワードと一致する文字列が黄色マーカ付きのキーワードＭｙｎ…として識別表示される。
【００２８】
そして、ユーザが注目する事柄の文字列（ここでは「満州事変」）を指定すると、指定された文字列が赤色マーカ付きの基幹キーワードＭｒとして識別表示される。すると、前記キーワード検知辞典の前記基幹キーワードＭｒを見出のキーワードとする説明情報から当該説明情報に含まれるキーワード（説明中キーワード）が抽出され、前記キーワードＭｙｎ…のうち、前記説明中キーワードと一致する文字列が緑色マーカ・右矢印［→］付きのリンク先キーワード（枝キーワード）Ｍｇｎ…として識別表示される。
【００２９】
さらに、前記キーワード検知辞典の各見出のキーワードの説明情報において前記基幹キーワード「満州事変」Ｍｒをキーワードとして含む説明情報の見出のキーワードが抽出され、前記キーワードＭｙｎ…のうち、前記抽出された見出のキーワードと一致する文字列が青色マーカ・左矢印［←］付きのリンク元キーワードＭｂｎ…として識別表示される。
【００３０】
なお、同図２におけるリンクキーワードテキスト画面ＧＴＬにおいて、緑色マーカ・右矢印［→］付きの赤文字で識別表示されている追加リンク先キーワードＭｇｎ＋は、前記各キーワードＭｙｎ…，Ｍｒ，Ｍｇｎ…，Ｍｂｎ…のうち、何れかのキーワードを見出のキーワードとする説明情報に含まれるキーワードの中からユーザ操作に応じて指定されたキーワードである。
【００３１】
図３は、前記情報表示制御装置１０をタブレット端末１０Ｔにより実施した場合の外観構成を示す正面図である。
【００３２】
この図３におけるタブレット端末１０Ｔの場合、前記ＣＰＵ１１、メモリ１２、記録媒体読取部１４は端末本体に内蔵され、また、メイン画面１７に必要に応じて表示される各種のアイコンやソフトキーボードが前記キー入力部１６として機能する。
【００３３】
この図３におけるタブレット端末１０Ｔのメイン画面１７は、前記リンクキーワード表示処理に従ったリンクキーワードテキスト画面ＧＴＬにおいて、アイコン表示エリア１７ａの［相関図表示］アイコンＢＤを指定することにより生成されたリンクキーワード相関画面ＧＬの表示状態を示している。
【００３４】
このリンクキーワード相関画面ＧＬは、前記リンクキーワードテキスト画面ＧＴＬに識別表示され前記メモリ１２内のリンクデータエリア１２ｆに登録された基幹キーワードＭｒとリンク先キーワード（枝キーワード）Ｍｇｎ…とリンク元キーワードＭｂｎ…とに基づいて、当該各リンクキーワード間をそのリンク方向に応じたリンク線Ｌ…で接続して生成される。
【００３５】
このように構成された情報表示制御装置１０は、前記ＣＰＵ１１が前記表示制御処理プログラム１２ａ（見出し語検索処理、説明情報表示処理、リンクキーワード表示処理等を実行するためのプログラムを含む）に記述された命令に従い回路各部の動作を制御し、ソフトウエアとハードウエアとが協働して動作することにより、以下の動作説明で述べる機能を実現する。
【００３６】
次に、前記構成による情報表示制御装置１０の動作について説明する。
【００３７】
図４は、前記情報表示制御装置１０の表示制御処理プログラム１２ａによるリンクキーワード表示処理（その１）を示すフローチャートである。
【００３８】
図５は、前記情報表示制御装置１０の表示制御処理プログラム１２ａによるリンクキーワード表示処理（その２）を示すフローチャートである。
【００３９】
図６Ａは、前記情報表示制御装置１０のリンクキーワード表示処理に伴う第１のキーワード抽出処理Ａを示すフローチャートである。
【００４０】
図６Ｂは、前記情報表示制御装置１０のリンクキーワード表示処理に伴う第２のキーワード抽出処理Ｂを示すフローチャートである。
【００４１】
図７は、前記情報表示制御装置１０のリンクキーワード表示処理に従った表示動作（その１）を示す図である。
【００４２】
図８は、前記情報表示制御装置１０のリンクキーワード表示処理に従った表示動作（その２）を示す図である。
【００４３】
図９は、前記情報表示制御装置１０のリンクキーワード表示処理に従った表示動作（その３）を示す図である。
【００４４】
ここでは、中学生が日本史を学習するケースを具体例として説明する。
【００４５】
ユーザ操作に応じてメイン画面１７に表示された学習テキストの選択メニュー（図示せず）から、前記教材テキストデータエリア１２ｅに記憶されている学習テキスト［中学  日本史まとめ］が指定されると、図７（Ａ）に示すように、当該指定された学習テキスト［中学  日本史まとめ］が読み出されテキスト画面ＧＴとして表示される（ステップＳ１）。なお、このテキスト画面ＧＴは、前回も同じ学習テキストを表示させて終了した場合は、当該表示を終了した範囲から表示される。
【００４６】
このテキスト画面ＧＴの左端には、アイコン表示エリア１７ａが確保され、リンクキーワード相関画面ＧＬを表示させるための［相関図表示］アイコンＢＤやリンクキーワードを登録するための［相関帳登録］アイコンＢＲ等が表示される。
【００４７】
前記［中学  日本史まとめ］のテキスト画面ＧＴにおいて、図７（Ｂ）に示すように、前記［相関帳登録］アイコンＢＲがペンタッチＰされて反転表示されると（ステップＳ２（Ｙｅｓ））、図６Ａまたは図６Ｂに示すキーワード抽出処理へ移行される（ステップＳ５）。
【００４８】
なお、前記［相関帳登録］アイコンＢＲがペンタッチＰされた後（ステップＳ２（Ｙｅｓ））、ユーザ操作に応じてキーワード検知辞典の変更が指示された場合は（ステップＳ３（Ｙｅｓ））、現在設定されているキーワード検知辞典が表示されると共に、前記メモリ１２に記憶されているキーワード検知辞典（［百科事典］１２ｂ，［歴史小辞典］１２ｃ）の一覧が表示され、当該辞典一覧にてユーザにより指定された種類の辞典が新たに設定される（ステップＳ４）。ここでは［百科事典］１２ｂがキーワード検知辞典に設定されたとして説明する。
【００４９】
前記図６Ａで示す第１のキーワード抽出処理Ａが実行された場合、先ず、前記テキスト画面ＧＴに表示された先頭の文字列から順に、前記キーワード検知辞典の見出のキーワードと最長一致する文字列がキーワード候補として抽出される（ステップＳ５１ａ）。
【００５０】
そして、前記抽出されたキーワード候補のうち、前記［初級国語辞典］（基本辞書）１２ｄの見出し語と一致するキーワード候補は除外され、その残りのキーワード候補が抽出キーワードとして決定される（ステップＳ５２ａ）。
【００５１】
これにより、前記テキスト画面ＧＴに表示された学習テキストのうち、小学生の学習範囲に含まれる基本的な事柄までもが抽出キーワードとして含まれるのを防止する。
【００５２】
前記図６Ｂで示す第２のキーワード抽出処理Ｂが実行された場合、先ず、前記抽出処理Ａと同様に、前記テキスト画面ＧＴに表示された先頭の文字列から順に、前記キーワード検知辞典の見出のキーワードと最長一致する文字列がキーワード候補として抽出される（ステップＳ５１ｂ）。
【００５３】
そして、前記抽出されたキーワード候補のうち、前記キーワード検知辞典（［百科事典］１２ｂ）の各説明情報において右矢印［→］付きのリンクキーワードとして設定されている見出のキーワードのキーワード候補が抽出キーワードとして決定される（ステップＳ５２ｂ）。
【００５４】
これにより、前記テキスト画面ＧＴに表示された学習テキストのうち、前記キーワード検知辞典にてリンクキーワードとして設定されている重要なキーワード候補だけが抽出キーワードとして決定される。
【００５５】
前記第１のキーワード抽出処理Ａまたは前記第２のキーワード抽出処理Ｂにより前記テキスト画面ＧＴに表示されたテキスト中のキーワードが抽出されると、当該抽出されたキーワードが黄色マーカ付きキーワード「満州事変」Ｍｙ１〜「太平洋戦争」Ｍｙ１１としてリンクキーワードテキスト画面ＧＴＬで識別表示される（ステップＳ６）。
【００５６】
前記リンクキーワードテキスト画面ＧＴＬにおいて、ユーザが注目する事柄の何れかの黄色マーカ付きキーワードＭｙｎ（ここでは「満州事変」Ｍｙ１）が基幹としてペンタッチＰされたと判断されると（ステップＳ７（Ｙｅｓ））、図７（Ｃ）に示すように、前記ペンタッチされた黄色マーカ付きキーワード「満州事変」Ｍｙ１が赤マーカ付き基幹キーワード「満州事変」Ｍｒとして識別表示されると共に、同基幹キーワードと同じ他のキーワードも赤マーカ付き基幹キーワード「満州事変」Ｍｒとして識別表示される（ステップＳ８）。
【００５７】
すると、図７（Ｄ）に示すように、前記キーワード検知辞典（［百科事典］１２ｂ）において、前記基幹キーワード「満州事変」Ｍｒを見出のキーワードとする説明情報（ＧＳ）に含まれるキーワード（説明中キーワード）「柳条湖事件」「満州」…「満州国」が抽出される（ステップＳ９）。
【００５８】
そして、前記基幹キーワード「満州事変」Ｍｒを見出のキーワードとする説明情報画面ＧＳにおいて、その説明中キーワード「柳条湖事件」「満州」…「満州国」の中から、リンク先キーワードとして追加したい黄色マーカ付きキーワード「関東軍」Ｍｙ１５が、図８（Ａ）に示すように左から右になぞられて指定されると、リンク先を示す右矢印［→］が付加されて表示される（ステップＳ１０）。
【００５９】
ここで、図８（Ｂ）に示すように、［戻る］キー１６ｄの操作に応じて前記リンクキーワードテキスト画面ＧＴＬが表示されると、当該テキスト中の各キーワードのうち、前記ステップＳ９において、前記基幹キーワード「満州事変」Ｍｒを見出のキーワードとする説明情報から抽出されたキーワード（説明中キーワード）「柳条湖事件」「満州」…「満州国」と一致する文字列が、緑色マーカ・右矢印［→］付きのリンク先キーワード（枝キーワード）「柳条湖事件」Ｍｇ１，「満州国」Ｍｇ２，…，「太平洋戦争」Ｍｇ４として識別表示される。そして、前記メモリ１２内のリンクデータエリア１２ｆに対し、前記基幹キーワード「満州事変」Ｍｒに前記リンク先キーワード「柳条湖事件」Ｍｇ１，「満州国」Ｍｇ２，…，「太平洋戦争」Ｍｇ４が対応付けられて登録される（ステップＳ１１）。
【００６０】
また、前記リンクキーワードテキスト画面ＧＴＬの各キーワードのうち、前記キーワード検知辞典（［百科事典］１２ｂ）の各見出のキーワードの説明情報において、前記基幹キーワード「満州事変」Ｍｒをリンクキーワードとして含む説明情報の見出のキーワードと一致するキーワードが、青色マーカ・左矢印［←］付きのリンク元キーワード「国際連盟脱退」Ｍｂ１として識別表示される。そして、前記メモリ１２内のリンクデータエリア１２ｆに対し、前記基幹キーワード「満州事変」Ｍｒに前記リンク元キーワード「国際連盟脱退」Ｍｂ１が対応付けられて登録される（ステップＳ１２）。
【００６１】
なお、前記図８（Ｂ）で示すリンクキーワードテキスト画面ＧＴＬでは、前記図８（Ａ）で示したように前記基幹キーワード「満州事変」Ｍｒを見出のキーワードとする説明情報画面ＧＳにおいてリンク先キーワードとして追加したキーワード「関東軍」が、緑色マーカ・右矢印［→］付き・赤文字の追加リンク先キーワードＭｇ５＋として表示される。
【００６２】
これにより、ユーザ任意の学習テキスト［中学  日本史まとめ］を表示させたリンクキーワードテキスト画面ＧＴＬにおいて、前記キーワード検知辞典（［百科事典］１２ｂ）の見出のキーワードと一致する文字列を黄色マーカ付きキーワードＭｙｎ…として識別表示させ、当該黄色マーカ付きキーワードＭｙｎ…のうち、注目すべき事柄を赤色マーカ付き基幹キーワード「満州事変」Ｍｒ、当該基幹キーワード「満州事変」Ｍｒを見出のキーワードとする説明情報中のキーワードと一致する文字列を緑色マーカ・右矢印［→］付きリンク先キーワード（枝キーワード）「柳条湖事件」Ｍｇ１〜「太平洋戦争」Ｍｇ４、追加の文字列を緑色マーカ・右矢印［→］付き・赤文字の追加リンク先キーワード「関東軍」Ｍｇ５＋、前記基幹キーワード「満州事変」Ｍｒを説明情報に含む見出のキーワードと一致する文字列を青色マーカ・左矢印［←］付きリンク元キーワード「国際連盟脱退」Ｍｂ１として、それぞれ識別表示させることができる。
【００６３】
そして、前記アイコン表示エリア１７ａの［相関図表示］アイコンＢＤがペンタッチＰされて指定されると（ステップＳ２０（Ｙｅｓ））、前記リンクデータエリア１２ｆに登録されたリンクデータに従って、図８（Ｃ）に示すように、前記赤色マーカ付き基幹キーワード「満州事変」Ｍｒと、前記緑色マーカ付きリンク先キーワード（枝キーワード）「柳条湖事件」Ｍｇ１〜「太平洋戦争」Ｍｇ４と、前記緑色マーカ付き・赤文字の追加リンク先キーワード「関東軍」Ｍｇ５＋と、青色マーカ付きリンク元キーワード「国際連盟脱退」Ｍｂ１とを、それぞれそのリンク方向に応じたリンク線Ｌ…で接続したリンクキーワード相関画面ＧＬが生成されて表示される（ステップＳ２１）。
【００６４】
これによりユーザは、当該ユーザが指定した注目すべき基幹キーワード「満州事変」Ｍｒに対して、前記リンク先キーワード（枝キーワード）「柳条湖事件」Ｍｇ１〜「太平洋戦争」Ｍｇ４、前記追加リンク先キーワード「関東軍」Ｍｇ５＋、前記リンク元キーワード「国際連盟脱退」Ｍｂ１があることを一目で確認することができる。
【００６５】
このリンクキーワード相関画面ＧＬにおいて、［ジャンプ］キー１６ｅによりジャンプ検索機能が選択され、何れかのキーワード（ここでは、リンク先キーワード「満州国」Ｍｇ２）がペンタッチＰされたと判断されると（ステップＳ２２（Ｙｅｓ））、図８（Ｄ）に示すように、当該ペンタッチＰにより指定されたリンク先キーワード「満州国」Ｍｇ２を見出のキーワードとする説明情報が前記キーワード検知辞典から検索されて読み出され説明情報画面ＧＳとして表示される（ステップＳ１４）。
【００６６】
この説明情報画面ＧＳでは、当該説明情報中のキーワードが黄色マーカ付きキーワードＭｙｎ…として識別表示されると共に、この説明中キーワードのうち、前記リンクデータエリア１２ｆに対し前記基幹キーワード「満州事変」Ｍｒに対応付けて登録されたリンク先キーワード「満州国」Ｍｇ２，「関東軍」Ｍｇ５が緑色マーカ・右矢印［→］付きで識別表示される（ステップＳ１５）。
【００６７】
また、前記説明情報画面ＧＳの説明中キーワードのうち、前記リンクデータエリア１２ｆに対し前記基幹キーワードＭｒに対応付けて登録されたリンク元キーワードが青色マーカ・左矢印［←］付きで識別表示される（ステップＳ１６）。
【００６８】
そして、前記学習テキスト［中学  日本史まとめ］中の各キーワードのうち、前記リンク先キーワード「満州国」Ｍｇ２の説明中キーワードと新たに一致するキーワードがあった場合、当該一致キーワードが新たなリンク先キーワードとして前記基幹キーワード「満州事変」Ｍｒに対応付けられて登録される。そして、前記リンク先キーワード「満州国」Ｍｇ２の説明情報中で前記学習テキスト中のキーワードと新たに一致したリンク先キーワードが、前記同様に緑色マーカ・右矢印［→］付きで識別表示される（ステップＳ１７）。
【００６９】
ここで、前記リンク先キーワード「満州国」Ｍｇ２の説明情報画面ＧＳにおいて、リンク先キーワードとして追加したい黄色マーカ付きのキーワード「薄儀」が、図８（Ｃ）に示すように左から右になぞられて指定されると（ステップＳ１８（Ｙｅｓ））、図９（Ａ）に示すように、緑色マーカ・右矢印［→］付き・赤文字の追加リンク先キーワード「薄儀」Ｍｇ６＋として識別表示され、前記リンクデータエリア１２ｆの前記基幹キーワード「満州事変」Ｍｒに対応付けられて登録される（ステップＳ１９）。
【００７０】
そして再び、前記アイコン表示エリア１７ａの［相関図表示］アイコンＢＤがペンタッチＰされて指定されると（ステップＳ２０（Ｙｅｓ））、前回同様に、前記リンクデータエリア１２ｆに登録された現在のリンクデータに従って、図９（Ｂ）に示すように生成されたリンクキーワード相関画面ＧＬが表示される（ステップＳ２１）。
【００７１】
この図９（Ｂ）で示したリンクキーワード相関画面ＧＬにおいて、ユーザが削除したいキーワード（ここでは、リンク先キーワード「柳条湖事件」Ｍｇ１）がペンタッチＰ１され、破線矢印Ｅに示すように、前記アイコン表示エリア１７ａにおける［削除］アイコンＢＥの位置までドラッグされると（ステップＳ２４（Ｙｅｓ））、図９（Ｃ）に示すように、当該ドラッグされたリンク先キーワード「柳条湖事件」Ｍｇ１とそのリンク線Ｌが削除されると共に、前記リンクデータエリア１２ｆの登録データが更新される（ステップＳ２５）。
【００７２】
なお、前記リンクキーワード相関画面ＧＬにおいて、ユーザが削除したい複数のキーワードがペンタッチＰにより囲まれて前記［削除］アイコンＢＥが指定された場合には（ステップＳ２４（Ｙｅｓ））、当該複数のキーワードが一括して削除され、前記リンクデータエリア１２ｆの登録データが更新される（ステップＳ２５）。
【００７３】
また、前記図９（Ｂ）で示したリンクキーワード相関画面ＧＬにおいて、リンク先キーワード「太平洋戦争」Ｍｇ４がペンタッチＰ２されて指定されると（ステップＳ１３（Ｙｅｓ））、前記同様に、当該指定されたリンク先キーワード「太平洋戦争」Ｍｇ４を見出のキーワードとする説明情報（図示せず）が検索され説明情報画面ＧＳとして表示される（ステップＳ１４）。
【００７４】
すると、前記同様に、前記説明情報画面ＧＳの説明中キーワードのうち、前記リンクデータエリア１２ｆに対し前記基幹キーワード「満州事変」Ｍｒに対応付けて登録されたリンク先キーワードＭｇｎ…が緑色マーカ・右矢印［→］付きで識別表示され（ステップＳ１５）、また、リンク元キーワードＭｂｎが青色マーカ・左矢印［←］付きで識別表示される（ステップＳ１６）。
【００７５】
ここで、前記リンク先キーワード「太平洋戦争」Ｍｇ４を見出のキーワードとする説明情報は、図示はしないが、説明中キーワード「真珠湾攻撃」を含んでいる。
【００７６】
すると、前記学習テキスト［中学  日本史まとめ］中の各キーワードのうち、前記リンク先キーワード「太平洋戦争」Ｍｇ４の説明中キーワードと新たに一致するキーワード「真珠湾攻撃」があると判断されるので、当該一致キーワードが新たなリンク先キーワード「真珠湾攻撃」Ｍｇ７として前記基幹キーワード「満州事変」Ｍｒに対応付けられて登録される。そして、前記リンク先キーワード「太平洋戦争」Ｍｇ４の説明情報中で前記学習テキスト中のキーワードと新たに一致したリンク先キーワード「真珠湾攻撃」Ｍｇ７が、前記同様に緑色マーカ・右矢印［→］付きで識別表示される（ステップＳ１７）。
【００７７】
これにより、前記図９（Ｃ）で示したように、リンクキーワード相関画面ＧＬを表示させると、前記リンク先キーワード「太平洋戦争」Ｍｇ４に対して前記新たなリンク先キーワードＭｇ７がリンク線Ｌで接続されて追加表示される（ステップＳ２０，Ｓ２１）。
【００７８】
そして、前記図９（Ｃ）で示したリンクキーワード相関画面ＧＬにおいて、［戻る］キー１６ｄが操作され、図９（Ｄ）に示すように、前記学習テキスト［中学  日本史まとめ］のリンクキーワードテキスト画面ＧＴＬが再表示されると、前記基幹キーワード「満州事変」Ｍｒに対応付けられて新たに登録されたリンク先キーワード「真珠湾攻撃」Ｍｇ７も緑色マーカ・右矢印［→］付きで表示される。
【００７９】
したがって、前記構成の情報表示制御装置１０によるリンクキーワード表示機能によれば、ユーザ任意の学習テキスト［中学  日本史まとめ］をテキスト画面ＧＴとして表示させ［相関帳登録］アイコンＢＲを指定すると、リンクキーワードテキスト画面ＧＴＬとなり、キーワード検知辞典［百科事典］１２ｂの見出のキーワードと一致する文字列が黄色マーカ付きキーワードＭｙ１，Ｍｙ２，…として識別表示される。そして、前記キーワードＭｙｎ…のうち注目すべき事柄を指定すると、指定されたキーワードが赤色マーカ付き基幹キーワードＭｒとして識別表示されると共に、この基幹キーワードＭｒを前記キーワード検知辞典１２ｂの見出のキーワードとする説明情報に含まれる説明中キーワードが抽出され、当該説明中キーワードと同じ前記テキスト中のキーワードＭｙｎ…が緑色マーカ・右矢印［→；リンク先表記］付きリンク先キーワード（枝キーワード）Ｍｇｎとして識別表示される。また、前記テキスト中のキーワードＭｙｎ…のうち、前記キーワード検知辞典１２ｂにおいて前記基幹キーワードＭｒを含む説明情報の見出のキーワードと同じキーワードＭｙｎがある場合は、青色マーカ・左矢印［←；リンク元表記］付きリンク元キーワードＭｂｎとして識別表示される。前記基幹キーワードＭｒに対し、前記リンク先キーワードＭｇｎ…と前記リンク元キーワードＭｂｎ…とが対応付けられてリンクデータエリア１２ｆに登録される。
【００８０】
そして、前記リンクキーワードテキスト画面ＧＴＬにて［相関図表示］アイコンＢＤを指定すると、前記リンクデータエリア１２ｆに登録されたリンクデータに従って、前記基幹キーワードＭｒとリンク先キーワードＭｇｎとリンク元キーワードＭｂｎとをそのリンク方向に応じた矢印のリンク線Ｌで接続して生成したリンクキーワード相関画面ＧＬが表示される。
【００８１】
これにより、キーワードである見出のキーワードに対応付けてキーワードを含む説明情報を集録した前記キーワード検知辞典に基づいて、前記表示中の学習テキストに含まれるキーワードＭｙｎ…のうち、ユーザが注目する基幹キーワードＭｒと当該基幹キーワードＭｒに関連するリンク先キーワード（枝キーワード）Ｍｇｎやリンク元キーワードＭｂｎを効果的に関係付けて学習することができる。
【００８２】
また、前記構成の情報表示制御装置１０によるリンクキーワード表示機能によれば、前記リンクキーワードテキスト画面ＧＴＬにおいて識別表示された基幹キーワードＭｒ又はリンク先キーワードＭｇｎを指定すると、前記キーワード検知辞典から前記指定されたキーワードＭｒ又はＭｇｎを見出のキーワードとする説明情報が読み出されて説明情報画面ＧＳに表示され、当該説明情報に含まれるキーワードが黄色マーカ付きキーワードＭｙｎ…として識別表示される。そして、前記キーワードＭｙｎ…の何れかをなぞって指定すると、当該指定されたキーワードＭｙｎが緑色マーカ・右矢印［→］付きリンク先キーワードＭｇｎとして前記基幹キーワードＭｒに対応付けられて追加登録される。そして、この追加登録されたリンク先キーワードＭｇｎは、前記リンクキーワードテキスト画面ＧＴＬにおいて追加リンク先キーワードＭｇｎ＋として識別表示され、また、前記リンクキーワード相関画面ＧＬでも追加リンク先キーワードＭｇｎ＋としてそのリンク方向に応じたリンク線Ｌで接続されて表示される。
【００８３】
これにより、前記学習テキストには直接含まれないキーワードであっても、当該テキスト内の基幹キーワードＭｒに関連するリンク先キーワードとして追加登録し、前記リンクキーワードテキスト画面ＧＴＬや前記リンクキーワード相関画面ＧＬにて表示させることができる。
【００８４】
また、前記構成の情報表示制御装置１０によるリンクキーワード表示機能によれば、前記リンクキーワード相関画面ＧＬにおいて表示された基幹キーワードＭｒ又はリンク先キーワードＭｇｎを指定すると、前記キーワード検知辞典から前記指定されたキーワードＭｒ又はＭｇｎを見出のキーワードとする説明情報が読み出されて説明情報画面ＧＳに表示される。そして、前記リンクキーワードテキスト画面ＧＴＬ内のキーワードＭｙｎ…のうち前記前記説明情報（ＧＳ）に含まれるキーワードと新たに一致するキーワードＭｙｎがある場合は、当該説明中キーワードと一致したキーワードＭｙｎが新たなリンク先キーワードＭｇｎとして前記基幹キーワードＭｒに対応付けられて追加登録され、前記リンクキーワード相関画面ＧＬに追加して表示させることができる。
【００８５】
なお、前記実施形態において記載した情報表示制御装置１０による各処理の手法およびデータベース、すなわち、図４，図５のフローチャートに示すリンクキーワード表示処理、図６Ａ又は図６Ｂのフローチャートに示す前記リンクキーワード表示処理に伴う第１又は第２のキーワード抽出処理等の各手法、および各種のデータベース１２ｂ〜１２ｅは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、タッチパネル式表示部（１７）を備えた電子機器のコンピュータは、この外部記録媒体１３に記憶されたプログラムをメモリ１２に読み込み、この読み込んだプログラムによって動作が制御されることにより、前記実施形態において説明したリンクキーワード表示機能を実現し、前述した手法による同様の処理を実行することができる。
【００８６】
また、前記各手法を実現するためのプログラムのデータは、プログラムコードの形態としてネットワークＮ上を伝送させることができ、このプログラムデータを、ネットワークＮに接続されたタッチパネル式表示部（１７）を備える電子機器のコンピュータに通信部１５によって取り込むことで、前述したリンクキーワード表示機能を実現することもできる。
【００８７】
また、前記実施形態では、本発明の情報表示制御装置１０を、電子辞書専用の携帯機器（電子辞書装置１０Ｄ）、タブレット端末１０Ｔ、ＰＣ、携帯電話、電子ブック、携帯ゲーム機等の電子機器単体にて実現する場合として説明した。
【００８８】
これに対し、ネットワークＮ上のＷｅｂサーバ２０に、前述したデータベース（１２ｂ〜１２ｅ）と表示制御処理プログラム１２ａに基づくリンクキーワード表示機能を持たせ、当該Ｗｅｂサーバ２０にタッチパネル式表示部（１７）を備えた端末装置からアクセスし、この端末装置のユーザ操作によって、前記実施形態同様にユーザ指定のテキスト画面ＧＴやリンクキーワードテキスト画面ＧＴＬを表示させたり、ユーザ指定の基幹キーワードＭｒに対応付けてキーワード検知辞典（１２ｂ，１２ｃ）から抽出されるリンク先キーワードＭｇｎ…やリンク元キーワードＭｂｎ…をリンクデータとして登録したり、このリンクデータに基づきリンクキーワード相関画面ＧＬを表示させたりする構成としてもよい。
【００８９】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９０】
以下に、本願出願の当初の特許請求の範囲に記載された発明を付記する。
【００９１】
［１］
見出のキーワードと、当該見出のキーワードとは異なる他のキーワードを含む説明情報とを複数組対応づけてキーワード情報として記憶しているキーワード記憶手段と、
いずれかの見出のキーワードを含むテキストを表示させるテキスト表示制御手段と、
このテキスト表示制御手段により表示させたテキスト中の何れかの見出のキーワードを基幹キーワードとして登録する基幹キーワード登録手段と、
前記基幹キーワードを見出のキーワードとして前記キーワード情報から、当該見出のキーワードに対応づけられた説明情報に含まれるキーワードを説明キーワードとして抽出する説明キーワード抽出手段と、
前記テキスト表示制御手段により表示させたテキスト中で、前記説明キーワードと同じキーワードを枝キーワードとして識別して表示させる枝キーワード識別表示制御手段と、
を備えたことを特徴とする情報表示制御装置。
【００９２】
［２］
前記テキストから前記キーワード情報の見出のキーワードと一致する文字列をキーワード候補として抽出し、当該抽出されたキーワードのうちから基本辞書の見出し語と一致するキーワードを除外したキーワードを候補キーワードとして決定する候補キーワード決定手段を有し、
前記テキスト表示制御手段は、前記決定された候補キーワードを識別表示させる候補キーワード識別表示制御手段を備える、
ことを特徴とする［１］に記載の情報表示制御装置。
【００９３】
［３］
前記キーワード記憶手段は、前記見出のキーワードに対応づけられた説明情報中に他の見出のキーワードへのリンク情報を記憶しており、
前記テキストから前記キーワード情報の見出のキーワードと一致する文字列をキーワードとして抽出し、当該抽出されたキーワードのうち、前記リンク情報の見出のキーワードと一致するキーワードを候補キーワードとして決定する候補キーワード決定手段を有し、
前記テキスト表示制御手段は、前記候補キーワード決定手段により決定された候補キーワードを識別表示させる候補キーワード識別表示制御手段を備える、
ことを特徴とする［１］に記載の情報表示制御装置。
【００９４】
［４］
前記テキスト表示手段により表示させたテキスト中の前記基幹キーワード又は前記識別表示された候補キーワードがユーザ操作に応じて指定された場合に、当該指定されたキーワードを見出のキーワードとする説明情報を前記キーワード情報から読み出して表示させる説明情報表示制御手段と、
この説明情報表示制御手段により表示された説明情報に含まれる説明キーワードを識別して表示させる説明キーワード識別表示制御手段と、
この説明キーワード識別表示制御手段により識別表示させた説明キーワードをユーザ操作に応じて登録する説明キーワード登録手段と、
前記テキスト表示手段により表示されたテキストと共に前記説明キーワード登録手段により登録された説明キーワードを追加識別して表示させる追加キーワード識別表示手段と、
を備えたことを特徴とする［１］ないし［３］の何れかに記載の情報表示制御装置。
【００９５】
［５］
前記基幹キーワード登録手段により登録された基幹キーワードと前記枝キーワード識別表示制御手段により識別して表示された枝キーワードとの相関を示す相関図を生成して表示させる相関図表示制御手段を備えたことを特徴とする［１］ないし［４］の何れかに記載の情報表示制御装置。
【００９６】
［６］
前記相関図表示制御手段は、前記基幹キーワード登録手段により登録された基幹キーワードと前記枝キーワード識別表示制御手段により識別して表示された枝キーワードと前記追加キーワード識別表示手段により追加識別して表示させたキーワードとの相関を示す相関図を生成して表示させる、
ことを特徴とする［５］に記載の情報表示制御装置。
【００９７】
［７］
前記相関図表示制御手段により表示された相関図に含まれるキーワードがユーザ操作に応じて指定された場合に、当該指定されたキーワードを見出のキーワードとする説明情報を前記キーワード情報から読み出して表示させる相関図対応説明情報表示制御手段と、
この相関図対応説明情報表示制御手段により前記相関図から指定されたキーワードを見出し語とする説明情報を表示させる毎に、前記テキスト中のキーワードのうち、当該説明情報に含まれる説明キーワードと同じ新たなキーワードを追加登録するキーワード追加登録手段とを備え、
前記相関図表示制御手段は、前記基幹キーワード登録手段により登録された基幹キーワードと前記キーワード識別表示制御手段により識別して表示されたキーワードと前記キーワード追加登録手段により追加登録されたキーワードとの相関を示す相関図を生成して表示させる、
ことを特徴とする［５］に記載の情報表示制御装置。
【００９８】
［８］
前記相関図表示制御手段により表示させた相関図に含まれるキーワードをユーザ操作に応じて削除する相関図キーワード削除手段を備えた、
ことを特徴とする［５］ないし［７］の何れかに記載の情報表示制御装置。
【００９９】
［９］
電子機器のコンピュータを制御するためのプログラムであって、
前記コンピュータを、
見出のキーワードと、当該見出のキーワードとは異なる他のキーワードを含む説明情報とを複数組対応づけてキーワード情報として記憶するキーワード記憶手段、
いずれかの見出のキーワードを含むテキストを表示させるテキスト表示制御手段、
このテキスト表示制御手段により表示させたテキスト中の何れかの見出のキーワードを基幹キーワードとして登録する基幹キーワード登録手段、
前記基幹キーワードを見出のキーワードとして前記キーワード情報から、当該見出のキーワードに対応づけられた説明情報に含まれるキーワードを説明キーワードとして抽出する説明キーワード抽出手段、
前記テキスト表示制御手段により表示させたテキスト中で、前記説明キーワードと同じキーワードを枝キーワードとして識別して表示させる枝キーワード識別表示制御手段、
として機能させるためのコンピュータ読み込み可能なプログラム。
【０１００】
［１０］
通信ネットワークを介して接続され、表示部と入力部を備えた情報表示制御装置であって、
見出のキーワードと、当該見出のキーワードとは異なる他のキーワードを含む説明情報とを複数組対応づけたキーワード情報を前記通信ネットワークを介して取得するキーワード情報取得手段と、
いずれかの見出のキーワードを含むテキストを前記表示部に出力して表示させるように制御するテキスト表示制御手段と、
このテキスト表示制御手段により前記表示部に表示されたテキスト中の何れかの見出のキーワードを前記入力部を操作して基幹キーワードとして登録する基幹キーワード登録手段と、
前記基幹キーワードを見出のキーワードとして前記キーワード情報から、当該見出のキーワードに対応づけられた説明情報に含まれるキーワードを説明キーワードとして抽出する説明キーワード抽出手段と、
前記テキスト表示制御手段により前記表示部に表示させたテキスト中で、前記説明キーワードと同じキーワードを枝キーワードとして識別して表示させるように制御する枝キーワード識別表示制御手段と、
を備えたことを特徴とする情報表示制御装置。
【０１０１】
［１１］
表示部を備えた電子機器のコンピュータを制御するためのプログラムであって、
前記コンピュータを、
見出のキーワードと、当該見出のキーワードとは異なる他のキーワードを含む説明情報とを複数組対応づけたキーワード情報を取得するキーワード情報取得手段、
いずれかの見出のキーワードを含むテキストを前記表示部に表示させるように制御するテキスト表示制御手段、
このテキスト表示制御手段により表示させたテキスト中の何れかの見出のキーワードを基幹キーワードとして登録する基幹キーワード登録手段、
前記基幹キーワードを見出のキーワードとして前記キーワード情報から、当該見出のキーワードに対応づけられた説明情報に含まれるキーワードを説明キーワードとして抽出する説明キーワード抽出手段、
前記テキスト表示制御手段により前記表示部に表示させたテキスト中で、前記説明キーワードと同じキーワードを枝キーワードとして識別して表示させるように制御する枝キーワード識別表示制御手段、
として機能させるためのコンピュータ読み込み可能なプログラム。
【符号の説明】
【０１０２】
１０  …情報表示制御装置
１０Ｄ…電子辞書装置
１０Ｔ…タブレット端末
１１  …ＣＰＵ
１２  …メモリ
１２ａ…表示制御処理プログラム
１２ｂ，１２ｃ…キーワード検知辞典
１２ｄ…初級国語辞典
１２ｅ…教材テキストデータエリア
１２ｆ…リンクデータエリア
１３  …外部記録媒体
１４  …記録媒体読取部
１５  …通信部
１６  …キー入力部
１７  …メイン画面（タッチパネル式）
２０  …Ｗｅｂサーバ
Ｎ    …ネットワーク
ＧＴ  …テキスト画面
ＧＴＬ…リンクキーワードテキスト画面
ＢＲ  …［相関帳登録］アイコン
ＢＤ  …［相関図表示］アイコン
Ｍｙｎ…キーワード
Ｍｒ  …基幹キーワード
Ｍｇｎ…リンク先キーワード
Ｍｂｎ…リンク元キーワード
ＧＬ  …リンクキーワード相関画面
【図１】
0006379742.tif 000002
【図２】
0006379742.tif 000003
【図３】
0006379742.tif 000004
【図４】
0006379742.tif 000005
【図５】
0006379742.tif 000006
【図６Ａ】
0006379742.tif 000007
【図６Ｂ】
0006379742.tif 000008
【図７】
0006379742.tif 000009
【図８】
0006379742.tif 000010
【図９】
0006379742.tif 000011